(57)【要約】  【課題】  入力したコンテンツデータを記憶手段に書き込んだ後に読み出して復号する処理を、従来に比べて小さな消費電力で行うことができる電子機器を提供する。  【解決手段】  ＵＳＢ制御部１２は、ＰＣインタフェース１０から入力した楽曲データをデータ転送用バス５１を介してＨＤＤ１７に書き込む。また、ケートアレイ１８は、再生対象の楽曲データを、データ転送用バス５１を介してＨＤＤ１７から読み出してデコーダ２２に出力する。【選択図】  図２
2006024126.tif 000002
【特許請求の範囲】
【請求項１】
コンテンツデータを入力するインタフェースと、
データ転送用バスに接続され、前記コンテンツデータを記憶するための記憶手段と、
アービトレーションにより前記データ転送用バスの使用権を獲得した後に、前記インタフェースを介して入力したコンテンツデータを、前記データ転送用バスを介して前記記憶手段に書き込む第１の制御回路と、
前記コンテンツデータの再生を行う再生回路と、
前記データ転送用バスに接続され、アービトレーションにより前記使用権を獲得した後に、前記データ転送用バスを介して、前記記憶手段から前記コンテンツデータを読み出して前記再生回路に出力する第２の制御回路と、
前記再生回路が再生した前記コンテンツデータの出力処理を行う第３の制御回路と
を有する電子機器。
【請求項２】
前記第１の制御回路は、前記インタフェースを介して入力した制御信号を前記第２の制御回路に出力し、
前記第２の制御回路は、前記第２の制御回路から入力した前記制御信号を前記第３の制御回路に出力する
請求項１に記載の電子機器。
【請求項３】
前記コンテンツデータの選択画面を表示する表示手段の制御を行う表示制御回路と、前記第１の制御回路と、前記第２の制御回路とが接続された制御用バスをさらに有し、
前記第１の制御回路は、アービトレーションにより前記制御用バスの使用権を獲得した後に、当該制御用バスを介して前記制御信号を前記第２の制御回路に出力する
請求項２に記載の電子機器。
【請求項４】
前記第２の制御回路は、操作部（筐体にある釦も含みたいためです。）からの操作信号を入力し、当該操作信号を前記第３の制御回路に出力する
請求項１に記載の電子機器。
【請求項５】
前記第３の制御回路が実行するプログラムを記憶したメモリと、前記第２の制御回路と、前記第３の制御回路とが接続された制御・データ転送用バス
をさらに有し、
前記第２の制御回路は、前記制御・データ転送用バスを介して、前記操作信号を前記第３の制御回路に出力する
請求項４に記載の電子機器。
【請求項６】
前記第３の制御回路は、前記再生回路が再生した前記コンテンツデータをアナログ信号に変換して出力する
請求項１に記載の電子機器。
【請求項７】
前記第１の制御回路、前記再生回路、前記第２の制御回路、並びに前記第３の制御回路を駆動する電力を供給する電源
をさらに有する請求項１に記載の電子機器。
【請求項８】
携帯型再生装置である
請求項１に記載の電子機器。
【請求項９】
コンテンツデータを入力するインタフェースと、
データ転送用バスに接続され、前記コンテンツデータを記憶するための記憶手段と、
前記インタフェースを介して入力したコンテンツデータを、前記記憶手段に書き込む第１の制御回路と、
前記コンテンツデータの再生を行う再生回路と、
前記記憶手段から前記コンテンツデータを読み出して前記再生回路に出力する第２の制御回路と、
前記再生回路が再生した前記コンテンツデータの出力処理を行う第３の制御回路と
を有し、
前記第３の制御回路は、前記インタフェースを介して前記コンテンツデータを入力する場合に、前記第１の制御回路を駆動状態にし、前記第２の制御回路を非駆動状態にし、前記記憶手段からコンテンツデータを読み出して再生する場合に、前記再生回路および前記第２の制御回路を駆動状態にし、前記第１の制御回路を非駆動状態にする
電子機器。
【発明の詳細な説明】
【技術分野】
【０００１】
本発明は、入力したコンテンツデータを記憶手段に記憶した後に再生して出力する電子機器に関する。
【背景技術】
【０００２】
近年、記録メディアの大容量化、並びに音楽、動画、静止画などの圧縮技術の発達により、携帯型などの再生装置内の記録メディアに膨大な数のコンテンツデータを記憶できる。
このような再生装置は、例えば、パーソナルコンピュータと接続された状態で、パーソナルコンピュータからコンテンツデータを入力し、これを記録メディアに記録する。
また、当該再生装置は、操作信号に応じて、記録メディアからコンテンツデータを読み出し、これをデコードして音声や画像として出力する処理を行う。
ところで、上述した従来の再生装置では、パーソナルコンピュータから入力したコンテンツデータを記録メディアに書き込む動作、再生時に記録メディアからコンテンツデータを読み出す動作、並びにその他の再生装置の制御を、単数のＣＰＵが統括して行っている。
【０００３】
【特許文献１】特開２００３−１３２６６０号公報
【発明の開示】
【発明が解決しようとする課題】
【０００４】
ところで、上述した従来の再生装置では、ＣＰＵの処理量が大きく、ＣＰＵとして動作周波数の高いものを用いる必要がある。
そのため、上述した従来の再生装置では、消費電力が大きく、特に携帯型としては好ましくないという問題がある。
【０００５】
本発明は上述した従来技術の問題点を解決するために、入力したコンテンツデータを記憶手段に書き込んだ後に読み出して再生する処理を、従来に比べて小さな消費電力で行うことができる電子機器を提供することを目的とする。
【課題を解決するための手段】
【０００６】
上述した従来技術の問題点を解決し、上述した目的を達成するために、第１の発明の電子機器は、コンテンツデータを入力するインタフェースと、データ転送用バスに接続され、前記コンテンツデータを記憶するための記憶手段と、アービトレーションにより前記データ転送用バスの使用権を獲得した後に、前記インタフェースを介して入力したコンテンツデータを、前記データ転送用バスを介して前記記憶手段に書き込む第１の制御回路と、前記コンテンツデータの再生を行う再生回路と、前記データ転送用バスに接続され、アービトレーションにより前記使用権を獲得した後に、前記データ転送用バスを介して、前記記憶手段から前記コンテンツデータを読み出して前記再生回路に出力する第２の制御回路と、前記再生回路が再生した前記コンテンツデータの出力処理を行う第３の制御回路とを有する。
【０００７】
第１の発明の電子機器の作用は以下のようになる。
先ず、インタフェースが、コンテンツデータを入力する。
次に、第１の制御回路が、アービトレーションによりデータ転送用バスの使用権を獲得した後に、前記インタフェースを介して入力したコンテンツデータを、前記データ転送用バスを介して記憶手段に書き込む。
次に、第２の制御回路が、アービトレーションにより前記使用権を獲得した後に、前記データ転送用バスを介して、前記記憶手段から前記コンテンツデータを読み出して前記再生回路に出力する。
次に、前記再生回路が、前記第２の制御回路から入力した前記コンテンツデータを再生して第３の制御回路に出力する。
次に、前記第３の制御回路が、前記再生回路から入力した前記コンテンツデータの出力処理を行う。
【０００８】
第２の発明の電子機器は、コンテンツデータを入力するインタフェースと、データ転送用バスに接続され、前記コンテンツデータを記憶するための記憶手段と、前記インタフェースを介して入力したコンテンツデータを、前記記憶手段に書き込む第１の制御回路と、前記コンテンツデータの再生を行う再生回路と、前記記憶手段から前記コンテンツデータを読み出して前記再生回路に出力する第２の制御回路と、前記再生回路が再生した前記コンテンツデータの出力処理を行う第３の制御回路とを有し、前記第３の制御回路は、前記インタフェースを介して前記コンテンツデータを入力する場合に、前記第１の制御回路を駆動状態にし、前記第２の制御回路を非駆動状態にし、前記記憶手段からコンテンツデータを読み出して再生する場合に、前記再生回路および前記第２の制御回路を駆動状態にし、前記第１の制御回路を非駆動状態にする。
【発明の効果】
【０００９】
本発明によれば、入力したコンテンツデータを記憶手段に書き込んだ後に読み出して再生する処理を、従来に比べて小さな消費電力で行うことができる電子機器を提供することができる。
【発明を実施するための最良の形態】
【００１０】
以下、図１〜図１０を参照して本発明の実施形態を説明する。
先ず、本実施形態の構成要素と、本発明の構成要素との対応関係を説明する。
また、図１に示すパーソナルコンピュータ３から入力され、ＨＤＤ１３に記憶される楽曲データが、本発明のコンテンツデータに対応している。
また、ＰＣインタフェース１０が本発明のインタフェースに対応し、ＵＳＢ制御部１２が本発明の第１の制御回路に対応し、デコーダ２２が本発明の再生回路に対応し、ケートアレイ１８が本発明の第２の制御回路に対応し、マイクロコンピュータ２６が本発明の第３の制御回路に対応している。
また、データ転送用バス５１が本発明のデータ転送用バスに対応し、制御用バス５３が本発明の制御用バスに対応し、制御・データ転送用バス５５が本発明の制御・データ転送用バスに対応している。
また、ＬＣＤ１４が本発明の表示手段に対応し、ＬＣＤ制御部１６が本発明の表示制御回路に対応している。
【００１１】
以下、本発明の実施形態に係わる再生装置について説明する。
図１は、本実施形態の実施形態に係わる携帯型オーディオ再生装置１とパーソナルコンピュータ３との関係を説明するための図である。
携帯型オーディオ再生装置１は、例えば、パーソナルコンピュータ３と着脱可能に接続される。
携帯型オーディオ再生装置１は、パーソナルコンピュータ３に接続された状態で、パーソナルコンピュータ３から楽曲データ（コンテンツデータ）を入力し、これを内蔵するＨＤＤに書き込む。
また、携帯型オーディオ再生装置１は、例えば、パーソナルコンピュータ３と非接続の状態で、上記ＨＤＤから読み出した楽曲データをデコードして再生する。
【００１２】
図２は、図１に示す携帯型オーディオ再生装置１の構成図である。
図２に示すように、携帯型オーディオ再生装置１は、例えば、ＰＣインタフェース１０、ＵＳＢ(Universal Serial Bus)制御部１２、ＬＣＤ(Liquid Crystal Display)１４、ＬＣＤ制御部１６、ＨＤＤ(Hard Disk Drive)１７、ケートアレイ１８、ＳＤＲＡＭ(Synchronous DRAM)２０、デコーダ２２、フラッシュメモリ２４、マイクロコンピュータ２６、アンプ２８、操作部３０、Ｇセンサ３２、オーディオ出力端子４６、リモートコントローラ端子４７、データ転送用バス５１、制御用バス５３、制御・データ転送用バス５５、発振回路５７、発振回路５９および電源６０を有する。
【００１３】
以下、図２に示す携帯型オーディオ再生装置１の構成要素の接続関係を説明する。
図２に示すように、データ転送用バス５１には、ＵＳＢ制御部１２、ＨＤＤ１７およびケートアレイ１８が接続されている。
ＵＳＢ制御部１２、ＨＤＤ１７およびケートアレイ１８は、アービトレーション（調停）によりデータ転送用バス５１の使用権を獲得する。データ転送用バス５１の使用権は、各タイミングにおいて、ＵＳＢ制御部１２、ＨＤＤ１７およびケートアレイ１８のうち一つのみが獲得できる。
また、制御用バス５３には、ＵＳＢ制御部１２、ＬＣＤ制御部１６およびケートアレイ１８が接続されている。
ＵＳＢ制御部１２、ＬＣＤ制御部１６およびケートアレイ１８は、アービトレーションにより制御用バス５３の使用権を獲得する。制御用バス５３の使用権は、各タイミングにおいて、ＵＳＢ制御部１２、ＬＣＤ制御部１６およびケートアレイ１８のうち１つのみが獲得できる。  また、制御・データ転送用バス５５には、ケートアレイ１８、フラッシュメモリ２４およびマイクロコンピュータ２６が接続されている。
ケートアレイ１８およびマイクロコンピュータ２６は、アービトレーションにより制御・データ転送用バス５５の使用権を獲得する。制御・データ転送用バス５５の使用権は、各タイミングにおいて、ケートアレイ１８およびマイクロコンピュータ２６のうち１つのみが獲得できる。
【００１４】
なお、データ転送用バス５１および制御・データ転送用バス５５は１６ビット幅であり、制御用バス５３は８ビット幅である。
【００１５】
以下、図２に示す各構成について説明する。
〔ＰＣインタフェース１０〕
ＰＣインタフェース１０は、ＵＳＢケーブルを介してパーソナルコンピュータ３と着脱可能に接続される。
ＰＣインタフェース１０は、ＵＳＢケーブルが装着された状態で、パーソナルコンピュータ３から楽曲データを入力し、これをＵＳＢ制御部１２に出力する。
【００１６】
〔ＵＳＢ制御部１２〕
ＵＳＢ制御部１２は、ＰＣインタフェース１０を介して入力したコンテンツデータを、データ転送用バス５１を介してＨＤＤ１７に書き込む。
また、ＵＳＢ制御部１２は、ＰＣインタフェース１０を介して入力した制御信号を、制御用バス５３を介してケートアレイ１８に出力する。
【００１７】
図３は、図２に示すＵＳＢ制御部１２の構成図である。
図３に示すように、ＵＳＢ制御部１２は、例えば、ＳＲＡＭ１０１、インタフェース１０３、ＩＤＥ(Integrated Drive Electronics)・ＤＭＡ(Direct Memory Access)１０５およびＦＩＦＯ(First In First Out)制御回路１０７を有する。
ＳＲＡＭ１０１は、例えば、ＰＣインタフェース１０を介してパーソナルコンピュータ３から入力した楽曲データを一時的に記憶する。
インタフェース１０３は、制御用バス５３に接続されている。
ＩＤＥ・ＤＭＡ１０５は、データ転送用バス５１に接続され、ＰＣインタフェース１０とＨＤＤ１７との間での楽曲データの入出力を制御する。
ＦＩＦＯ制御回路１０７は、本実施形態で説明するＵＳＢ制御部１２の動作を統括的に制御する。
【００１８】
〔ＬＣＤ１４およびＬＣＤ制御部１６〕
ＬＣＤ１４は、例えば、図４に示すように、携帯型オーディオ再生装置１の筐体の表面側に配設されている。
ＬＣＤ制御部１６は、制御・データ転送用バス５５、ケートアレイ１８および制御用バス５３を介して、マイクロコンピュータ２６から入出力した表示制御信号に基づいて、ＬＣＤ１４に所定の画面を表示する。
ＬＣＤ制御部１６は、例えば、図５（Ａ）に示す選曲画面Ｄ１、図５（Ｂ）に示す設定画面Ｄ２および図５（Ｃ）に示す再生画面Ｄ３をＬＣＤ１４に表示する。
【００１９】
〔ＨＤＤ１７〕
ＨＤＤ１７は、例えば、２０ＧＢの記憶容量を有し、ＡＴＲＡＣ(Adaptive Transform Acoustic Coding)等で符号化（圧縮）された約１００００万曲（コンパクトディスク７００枚分）の楽曲データを記憶可能である。
ＨＤＤ１７に記憶された１曲分の楽曲データ（以下、単に楽曲データとも記す）の各々には、そのア−ティスト、アルバム、ジャンル、グループ、ニュートラック、ブックマークなどに関する属性データが付されている。
【００２０】
〔ケートアレイ１８〕
ケートアレイ１８は、データ転送用バス５１を介して、ＨＤＤ１７から再生対象の楽曲データを読み出し、これをデコーダ２２に出力する。
また、ケートアレイ１８は、制御用バス５３を介してＵＳＢ制御部１２から制御信号を入力し、これを、制御・データ転送用バス５５を介してマイクロコンピュータ２６に出力する。
【００２１】
図６は、図２に示すケートアレイ１８の構成図である。
図６に示すように、ケートアレイ１８は、例えば、インタフェース１１１、インタフェース１１３、制御回路ＳＤＲＡＭＣ１１５、インタフェース１１７、ＤＭＡＣ１１９、インタフェース１２１、ＴＳＢ１２５を有し、これらがバス１１０を介して接続されている。
ケートアレイ１８は、例えば、パーソナルコンピュータ３から入力した楽曲データをＨＤＤ１７に書き込む処理、並びに指定された楽曲データをＨＤＤ１７から読み出す処理を行う。これにより、これらの処理を全てマイクロコンピュータ２６が行う従来に比べて、マイクロコンピュータ２６の処理負荷を軽減できる。
【００２２】
インタフェース１１１は、制御用バス５３に接続されている。
インタフェース１１３は、データ転送用バス５１に接続されている。
制御回路ＳＤＲＡＭＣ１１５は、インタフェース１１３がＨＤＤ１７から入力した楽曲データを一時的にＳＤＲＡＭ２０に記憶する。
インタフェース１１７は、制御・データ転送用バス５５に接続されている。
ＤＭＡＣ１１９は、本実施形態で説明するケートアレイ１８の動作を統括的に制御する。
インタフェース１２１は、ＳＤＲＡＭ２０から読み出された楽曲データをデコーダ２２に出力する。
ＴＳＢ１２５は、リモートコントローラ端子４７を介して、図示しないリモートコントローラがユーザの操作に応じて生成した操作信号を入力する。
【００２３】
〔ＳＤＲＡＭ２０〕
ＳＤＲＡＭ２０は、ケートアレイ１８によってＨＤＤ１７から読み出された楽曲データを記憶する。
【００２４】
〔デコーダ２２〕
デコーダ２２は、ケートアレイ１８から入力した楽曲データをデコードしてデジタルの楽曲信号を生成し、これをマイクロコンピュータ２６に出力する。
上記楽曲データは、上述したように、例えばＡＴＲＡＣで符号化されており、デコーダ２２はそれに対応したデコードを行う。
また、デコーダ２２は、上記デコードの他に、サラウンド処理やＰＣＭ(Pulse Code Modulation) 変換処理などを行う。
【００２５】
〔フラッシュメモリ２４〕
フラッシュメモリ２４は、マイクロコンピュータ２６が実行するプログラムを記憶する。
【００２６】
〔マイクロコンピュータ２６〕
マイクロコンピュータ２６は、携帯型オーディオ再生装置１の動作を統括的に制御する。
マイクロコンピュータ２６は、例えば、ＰＣインタフェース１０を介して入力した楽曲データをＨＤＤ１７に書き込む場合に、ＵＳＢ制御部１２を駆動状態にし、ゲートアレイ１８を非駆動状態にする。
また、マイクロコンピュータ２６は、ＨＤＤ１７から楽曲データを読み出して再生する場合に、ＵＳＢ制御部１２を非駆動状態にし、ゲートアレイ１８およびデコーダ２２を駆動状態にする。
【００２７】
図７は、図２に示すマイクロコンピュータ２６の構成図である。
図７に示すように、マイクロコンピュータ２６は、例えば、インタフェース１３１、インタフェース１３３、ＤＡＣ(Digital Analog Converter)１３５、ＡＤＣ(Analog Digital Converter)１３７、ＳＤＲＡＭ１３９、ＤＭＡＣ１４１およびＣＰＵ１４３を有する。
【００２８】
インタフェース１３１は、制御・データ転送用バス５５に接続されている。
インタフェース１３３は、デコーダ２２と接続され、デコーダ２２に制御信号を出力し、デコーダ２２によるデコード処理を制御する。
ＤＡＣ１３５は、デコーダ２２から入力したデジタルの楽曲信号をアナログの楽曲信号に変換してアンプ２８に出力する。
【００２９】
ＡＤＣ１３７は、操作部３０から入力したアナログの操作信号、並びにＧセンサ３２から入力したアナログのセンサ信号を、それぞれデジタルの操作信号およびセンサ信号に変換してＣＰＵ１４３に出力する。
なお、Ｇセンサ３２は、携帯型オーディオ再生装置１の加速度を検出し、その検出結果を示すＧセンサ信号をＡＤＣ１３７に出力する。
図４（Ａ），図４（Ｂ），図４（Ｃ）は、それぞれ携帯型オーディオ再生装置１の上側面図、正面図および下側面図である。
本実施形態において、操作部３０は、例えば、図４（Ａ）に示すＭＥＮＵキー６４、ＭＯＤＥキー６５、ＶＯＬＵＭＥキー６６、図４（Ｂ）に示す十字右キー６７ａ，十字左キー６７ｂ、十字上キー６７ｃ、十字下キー６７ｄおよび十字決定キー６７ｅ、並びに図４（Ｃ）に示すＨＯＬＤキー６８である。
【００３０】
ＳＤＲＡＭ１３９は、フラッシュメモリ２４から読み出したプログラムのコード等、ＣＰＵ１４３が処理するデータを一時的に記憶する。
ＤＭＡＣ１４１は、ケートアレイ１８によるＨＤＤ１７へのアクセスを制御する。
ＣＰＵ１４３は、インタフェース１３１および制御・データ転送用バス５５を介してフラッシュメモリ２４からプログラムを呼び出し、当該プログラムに基づいてマイクロコンピュータ２６の処理を統括的に制御する。
ＣＰＵ１４３は、例えば、上記Ｇセンサ信号に基づいて、携帯型オーディオ再生装置１が落下開始したか否かを判断し、落下開始したと判断すると、ＨＤＤ１７のヘッドを退避させる処理を行う。
また、ＣＰＵ１４３は、ＳＤＲＡＭ２０に記憶されている楽曲データのデータ量を監視し、当該データ量が所定のしきい値以下になると、ケートアレイ１８に対してＨＤＤ１７からの楽曲データの読み出しを再開させる。
【００３１】
〔電源６０〕
電源６０は、携帯型オーディオ再生装置１の各構成要素に駆動電力を供給する。
【００３２】
なお、図２に示すケートアレイ１８、デコーダ２２およびマイクロコンピュータ２６は、発振回路５７からの周波数２２．５ＭＨｚの駆動信号に基づいて動作する。
また、ＵＳＢ制御部１２は、発振回路５９からの周波数１２ＭＨｚの駆動信号に基づいて動作する。
【００３３】
以下、本実施形態の携帯型オーディオ再生装置１の構造を説明する。
図８は、本実施形態の携帯型オーディオ再生装置１の分解斜視図である。
なお、図８には、携帯型オーディオ再生装置１の一部の部品のみが図示されている。
図８に示すように、携帯型オーディオ再生装置１は、本体収容体７６上にＬＣＤ１４および電源６０を載置した後、本体収容体７６を開口部７５ａからキャビネット７５内に収容する。
その後、蓋体７７を本体収容体７６に取り付けて、開口部７５ａを塞ぐ。
また、キャビネット７５には、ＬＣＤ１４に対応した位置に開口部７５ｂが形成されている。
【００３４】
また、キャビネット７５に操作フレキ７４が固定された後に、ＬＣＤ１４に対応した位置に開口部が形成された接着シート７３がキャビネット７５に張りつけられる。
その後、接着シート７３に透明あるいは半透明のプレート７２が張りつけられる。
プレート７２には、開口部７２ａが形成されており、この開口部７２ａに、十字右キー６７ａ，十字左キー６７ｂ、十字上キー６７ｃ、十字下キー６７ｄおよび十字決定キー６７ｅが嵌め込まれる。
なお、図８には図示しないが、本体収容体７６には、ＬＣＤ１４および電源６０の他に、図２に示すＨＤＤ１７および回路基板が搭載されている。当該回路基板には、図２に示すＵＳＢ制御部１２、ＳＤＲＡＭ２０、デコーダ２２、フラッシュメモリ２４およびマイクロコンピュータ２６が組み込まれている。
【００３５】
以下、携帯型オーディオ再生装置１の動作例を説明する。
〔第１の動作例〕
当該動作例では、パーソナルコンピュータ３から携帯型オーディオ再生装置１に楽曲データをダウンロードする場合を説明する。
なお、携帯型オーディオ再生装置１では、ＰＣインタフェース１０にＰＣ３が接続されたことを検出すると、ＰＣ３が保持する楽曲データのうち、ＨＤＤ１７に記憶されていない楽曲データを自動的にダウンロードする。
先ず、携帯型オーディオ再生装置１のＰＣインタフェース１０に、ＵＳＢケーブルを介してパーソナルコンピュータ３が接続される。
パーソナルコンピュータ３は、取り外し可能（リム−バル）なＨＤＤとして携帯型オーディオ再生装置１を認識（検出）する。
そして、パーソナルコンピュータ３は、楽曲データをＰＣインタフェース１０に出力する。
図２に示すＵＳＢ制御部１２は、図３に示すＦＩＦＯ制御回路１０７によって、上記楽曲データをＳＲＡＭ１０１に格納する。
続いて、ＦＩＦＯ制御回路１０７は、ＳＲＡＭ１０１から読み出した楽曲データを、ＩＤＥ・ＤＭＡ１０５の制御に従って、データ転送用バス５１を介してＨＤＤ１７に書き込む。
このとき、ＦＩＦＯ制御回路１０７は、ア−ビトレーションによりデータ転送用バス５１の使用権を獲得した後に、データ転送用バス５１を使用する。
上述した動作は、ＵＳＢ制御部１２が主に制御を行い、マイクロコンピュータ２６は直接的には制御に係わらない。
これにより、マイクロコンピュータ２６の処理量を軽減でき、従来に比べて動作周波数が低いマイクロコンピュータ２６を用いることができ、省電力化を図れる。
【００３６】
〔第２の動作例〕
当該動作例では、パーソナルコンピュータ３から携帯型オーディオ再生装置１に制御信号が出力される場合を説明する。
先ず、携帯型オーディオ再生装置１のＰＣインタフェース１０に、ＵＳＢケーブルを介してパーソナルコンピュータ３が接続される。
そして、パーソナルコンピュータ３は、ユーザの操作に応じた制御信号（コマンドデータ）をＰＣインタフェース１０に出力する。
図２に示すＵＳＢ制御部１２は、図３に示すＦＩＦＯ制御回路１０７によって、上記操作信号をＳＲＡＭ１０１に格納する。
その後、マイクロコンピュータ２６は、制御・データ転送用バス５５、ケートアレイ１８および制御用バス５３を介して、ＵＳＢ制御部１２のＳＲＡＭ１０１から上記制御信号を読み出す。
このとき、マイクロコンピュータ２６はア−ビトレーションにより制御・データ転送用バス５５の使用権を獲得した後に制御・データ転送用バス５５を使用し、ケートアレイ１８はア−ビトレーションにより制御用バス５３の使用権を獲得した後に制御用バス５３を使用する。
そして、マイクロコンピュータ２６は、当該読み出した制御信号に基づいて、所定の処理を行う。
【００３７】
〔第３の動作例〕
当該動作例では、ＨＤＤ１７に記憶されている楽曲データを再生する場合を説明する。
例えば、操作部３０（例えば、図４に示す十字決定キー６７ｅ）がユーザの操作に応じて、再生指示をマイクロコンピュータ２６に出力する。
そして、マイクロコンピュータ２６は、当該再生指示を入力すると、再生対象となる楽曲データを指定した再生要求を、制御・データ転送用バス５５を介してケートアレイ１８に出力する。
このとき、マイクロコンピュータ２６はア−ビトレーションにより制御・データ転送用バス５５の使用権を獲得した後に制御・データ転送用バス５５を使用する。
その後、マイクロコンピュータ２６は、当該再生動作から開放される。
図６に示すケートアレイ１８は、当該再生要求をインタフェース１１７を介して入力してＤＭＡＣ１１９に出力する。
ＤＭＡＣ１１９は、上記再生要求に係わる楽曲データを、インタフェース１１３およびデータ転送用バス５１を介してＨＤＤ１７にアクセスして読み出す。
このとき、ケートアレイ１８はア−ビトレーションによりデータ転送用バス５１の使用権を獲得した後にデータ転送用バス５１を使用する。
【００３８】
ケートアレイ１８のＤＭＡＣ１１９は、インタフェース１１３を介してＨＤＤ１７から入力した楽曲データを、制御回路ＳＤＲＡＭＣ１１５を介してＳＤＲＡＭ２０に書き込む。
当該書き込み動作と並行して、ＤＭＡＣ１１９は、制御回路ＳＤＲＡＭＣ１１５を介してＳＤＲＡＭ２０から楽曲データを読み出し、これをインタフェース１２１を介してデコーダ２２に出力する。
デコーダ２２は、入力した楽曲データをＡＴＲＡＣで復号（再生）し、復号したデジタルの楽曲信号をマイクロコンピュータ２６に出力する。
また、デコーダ２２は、復号を終了した旨をマイクロコンピュータ２６に通知する。
マイクロコンピュータ２６は、上記復号したデジタルの楽曲信号を図７に示すＤＡＣ１３５に入力し、ＤＡＣ１３５においてアナログの楽曲信号に変換してアンプ２８に出力する。
そして、当該アナログの楽曲信号がアンプ２８で増幅されてオーディオ出力端子４６を介してヘッドフォンに出力される。
本動作例において、ＨＤＤ１７から楽曲データを読み出してデコーダ２２に出力するまでの処理についてはケートアレイ１８が主に制御を行い、マイクロコンピュータ２６は直接的には制御に係わらない。
これにより、マイクロコンピュータ２６の処理量を軽減でき、従来に比べて動作周波数が低いマイクロコンピュータ２６を用いることができ、省電力化を図れる。
【００３９】
〔第４の動作例〕
当該動作例では、図２に示すマイクロコンピュータ２６が、ＬＣＤ１４に選曲画面表示を行う場合を説明する。
先ず、選曲画面Ｄ１について説明する。
選曲画面Ｄ１として、複数の異なる属性（楽曲データに関しての属性）の各々について規定され、当該属性について規定された複数の項目を表示して選択させる第１階層の複数の選曲画面が規定されている。
また、選曲画面Ｄ１として、上記第１階層の選曲画面の各々について、第２階層以下の選曲画面が規定されている。
第２階層以下の選曲画面は、その上層の選曲画面の各項目毎に規定され、当該項目に対応した前記属性以外の前記属性を基に、当該項目に属する楽曲データを分類するための複数の項目を有する。
【００４０】
第１の階層の選曲画面Ｄ１は、例えば、図９および図１０に示す選曲画面Ｄ１＿１，Ｄ１＿２，Ｄ１＿３，Ｄ１＿４，Ｄ１＿５である。
ここで、選曲画面Ｄ１＿１Ｄ１＿２，Ｄ１＿３，Ｄ１＿４，Ｄ１＿５は、それぞれアーティスト(Artist)、アルバム(Album) 、ジャンル(Genre) 、グループ(Group) 、それ以外(Others)の楽曲データの属性を基に楽曲データを分類して表示するための画面である。
【００４１】
例えば、ＬＣＤパネル１４に設定画面Ｄ２などが表示されている状態で、図４（Ａ）に示すＭＯＤＥキー６５をユーザが押圧すると、図１に示すマイクロコンピュータ２６は、ＭＯＤＥキー６５からの操作信号を基に、図９に示す選曲画面Ｄ１＿１をＬＣＤパネル１４に表示する。
選曲画面Ｄ１＿１は、アーティストを属性として楽曲データを分類する複数の項目（アーティストＡ，Ｂ，Ｃ等）を表示している。
このとき、マイクロコンピュータ２６は、選曲画面Ｄ１＿１以外の第１階層の選曲画面をＬＣＤパネル１４に表示してもよい。
【００４２】
続いてＭＯＤＥキー６５をユーザが押圧すると、マイクロコンピュータ２６は、ＭＯＤＥキー２５からの操作信号を基に、図９に示す選曲画面Ｄ１＿２をＬＣＤパネル１４に表示する。
選曲画面Ｄ１＿２は、アルバムを属性として楽曲データを分類する複数の項目（アルバムＡ，Ｂ，Ｃ等）を表示している。
続いてＭＯＤＥキー６５をユーザが押圧すると、マイクロコンピュータ２６は、ＭＯＤＥキー６５からの操作信号を基に、図９に示す選曲画面Ｄ１＿３をＬＣＤパネル１４に表示する。
選曲画面Ｄ１＿３は、ジャンルを属性として楽曲データを分類する複数の項目（ＣＬＡＳＳＩＣ，Ｊ−ＰＯＰ，ＲＯＣＫ等）を表示している。
【００４３】
続いてＭＯＤＥキー６５をユーザが押圧すると、マイクロコンピュータ２６は、ＭＯＤＥキー６５からの操作信号を基に、図１０に示す選曲画面Ｄ１＿４をＬＣＤパネル１４に表示する。
選曲画面Ｄ１＿４は、パーソナルコンピュータ３で規定されたグループを属性として楽曲データを分類する複数の項目（グループＡ，Ｂ，Ｃ等）を表示している。
続いてＭＯＤＥキー６５をユーザが押圧すると、マイクロコンピュータ２６は、ＭＯＤＥキー６５からの操作信号を基に、図１０に示す選曲画面Ｄ１＿５をＬＣＤパネル１４に表示する。
選曲画面Ｄ１＿５は、その他の属性、例えば、パーソナルコンピュータ３から新たに入力したトラック（楽曲データ）であることを示す「Ｎｅｗ  Ｔｒａｃｋｓ」、ユーザによってブックマークが付されたことを示す「Ｂｏｏｋｍａｒｋ」を属性として楽曲データを分類する複数の項目を表示している。
続いて、選曲画面Ｄ１＿５上で十字右キー６７ａが押圧されると、マイクロコンピュータ２６は、新曲フォルダに登録した楽曲データのタイトルを示す選曲画面Ｄ１＿５１をＬＣＤパネル１４に表示する。
続いて、選曲画面Ｄ１＿５１上でカーソルを上下させて所望のタイトルの位置に合わせ、十字決定キー６７ｅが押圧されると、マイクロコンピュータ２６は、そのタイトルの再生画面Ｄ３をＬＣＤパネル１４に表示すると共に、その再生を行う。
【００４４】
以上説明したように、携帯型オーディオ再生装置１では、上述した第１の動作例で説明したように、パーソナルコンピュータ３から入力した楽曲データをＨＤＤ１７に書き込む動作についてはＵＳＢ制御部１２が主に制御を行う。
また、携帯型オーディオ再生装置１では、第３の動作例で説明したように、ＨＤＤ１７から楽曲データを読み出してデコーダ２２に出力する処理については、ケートアレイ１８が主に制御を行う。
そのため、携帯型オーディオ再生装置１によれば、従来のように上述した双方の制御をマイクロコンピュータが行う場合に比べて、マイクロコンピュータ２６の処理負荷を軽減できる。これにより、携帯型オーディオ再生装置１によれば、従来に比べて動作周波数が低いマイクロコンピュータ２６を用いることができ、省電力化を図れる。
また、携帯型オーディオ再生装置１によれば、ＰＣインタフェース１０を介して入力した楽曲データをＨＤＤ１７に書き込む場合に、デコーダ２２およびゲートアレイ１８を非駆動状態にし、ＨＤＤ１７から読み出した楽曲データを再生する場合に、ＵＳＢ制御部１２を非駆動状態にする。これにより、さらなる省電力化が図れる。
【００４５】
また、携帯型オーディオ再生装置１では、ＵＳＢ制御部１２、ＨＤＤ１７およびケートアレイ１８はデータ転送用バス５１に接続され、ＵＳＢ制御部１２およびケートアレイ１８のうちアービトレーションによりデータ転送用バス５１の使用権を獲得した一方のみがＨＤＤ１７にアクセスできる。そのため、ＨＤＤ１７は、ＵＳＢ制御部１２およびケートアレイ１８との間のインタフェースを個別に備える必要がなく、従来と同じ構成のものを使用できる。
【００４６】
本発明は上述した実施形態には限定されない。
上述した実施形態では、本発明を携帯型のオーディオ再生装置に適用した場合を例示したが、本発明はパーソナルコンピュータなどの携帯型以外の装置にも適用可能である。
また、本発明において、コンテンツデータを記憶する記録手段として、図２に示すＨＤＤ１３の代わりに、ＭＤ（商標）などの光磁気記録媒体、ＣＤ−Ｒ(CD-recordable)やＤＶＤ−Ｒ(DVD-recordable)などの光記録媒体）、メモリースティック（商標）やＳＤカード（商標）などの半導体メモリなどを用いてもよい。
また、上述した実施形態では、本発明のコンテンツデータとして、楽曲データなどのオーディオデータを例示したが、ビデオや写真などのイメージデータでもよい。
また、上述した実施形態では、本発明の電子機器として携帯型オーディオ再生装置１を例示したが、本発明の電子機器は、例えば、パーソナルコンピュータ、コンパクトディスクなどの光ディスク再生装置、光磁気ディスク再生装置などであってもよい。
【産業上の利用可能性】
【００４７】
本発明は、入力したコンテンツデータを記憶手段に記憶した後に復号して出力するシステムに適用可能である。
【図面の簡単な説明】
【００４８】
【図１】図１は、本発明の実施形態に係わる携帯型オーディオ再生装置とパーソナルコンピュータとの関係を説明するための図である。
【図２】図２は、図１に示す携帯型オーディオ再生装置の構成図である。
【図３】図３は、図２に示すＵＳＢ制御部の構成図である。
【図４】図４は、図１に示す携帯型オーディオ再生装置の外観図である。
【図５】図５は、図２に示す携帯型オーディオ再生装置に表示される各種の画面を説明するための図である。
【図６】図６は、図１に示す携帯型オーディオ再生装置のケートアレイの構成図である。
【図７】図７は、図１に示す携帯型オーディオ再生装置のマイクロコンピュータの構成図である。
【図８】図８は、図１に示す携帯型オーディオ再生装置の部分分解斜視図である。
【図９】図９は、図２に示す携帯型オーディオ再生装置のＬＣＤに表示される選曲画面の遷移を説明するための図である。
【図１０】図１０は、図２に示す携帯型オーディオ再生装置のＬＣＤに表示される選曲画面の遷移を説明するための図９の続きの図である。
【符号の説明】
【００４９】
１…携帯型オーディオ再生装置、３…パーソナルコンピュータ、１０…ＰＣインタフェース、１２…ＵＳＢ制御部、１４…ＬＣＤ、１６…ＬＣＤ制御部、１８…ケートアレイ、２０…ＳＤＲＡＭ、２２…デコーダ、２４…フラッシュメモリ、２６…マイクロコンピュータ、２８…アンプ、３０…操作部、３２…Ｇセンサ、５１，５３，５５…バス、４６…オーディオ出力端子、４７…リモートコントローラ端子、１０１…ＳＲＡＭ、１０３…インタフェース、１０５…ＩＤＥ・ＤＭＡ、１０７…ＦＩＦＯ制御回路、１１１…インタフェース、１１３…インタフェース、１１５…制御回路、１１７…インタフェース、１１９…ＤＭＡＣ、１２１…インタフェース、１２５…ＴＳＢ、１３１…インタフェース、１３３…インタフェース、１３５…ＤＡＣ、１３７…ＡＤＣ、１３９…ＳＤＲＡＭ、１４１…ＤＭＡＣ、１４３…ＣＰＵ
【図１】
2006024126.tif 000003
【図２】
2006024126.tif 000004
【図３】
2006024126.tif 000005
【図４】
2006024126.tif 000006
【図５】
2006024126.tif 000007
【図６】
2006024126.tif 000008
【図７】
2006024126.tif 000009
【図８】
2006024126.tif 000010
【図９】
2006024126.tif 000011
【図１０】
2006024126.tif 000012